(57)【要約】      （修正有）【課題】パネルとフレームの結合部における断熱性に優れた空気調和機のパネル固定構造を提供する。【解決手段】空気調和機のケーシング１を構成するフレーム６にケーシング１の外壁をなすパネル２を固定するものであって、外壁をなすパネル２にネジ孔を形成し、ネジ孔に断熱性のカラーを挿入し、カラーを介してパネル固定ネジでパネル２をフレーム６に固定した。【選択図】図１
2018146148.tif 000002
【特許請求の範囲】
【請求項１】
空気調和機のケーシングを構成するフレームにケーシングの外壁をなすパネルを固定するものであって、外壁をなすパネルにネジ孔を形成し、ネジ孔に断熱性のカラーを挿入し、カラーを介してパネル固定ネジでパネルをフレームに固定したことを特徴とする空気調和機のパネル固定構造。
【請求項２】
カラーは、パネル固定ネジの軸心方向の外側が中空部で、パネル固定ネジの軸心方向の内側が中実部をなし、中実部にパネル固定ネジの軸心方向に貫通孔を有し、中実部の端面が中空部と貫通孔の間に段差を形成し、中空部がネジ孔の開口縁に当接するフランジ部を有し、
パネル固定ネジは、カラーの中空部を通して貫通孔に挿入し、先端がフレームの内部に留まり、頭部でカラーの段差に当接してカラーをフレームに押圧するとともに、フレームを相対的にカラーに引き付けて、カラーのフランジ部とフレームとの間にパネルを挟んで固定することを特徴とする請求項１に記載の空気調和機のパネル固定構造。
【請求項３】
カラーの中空部において、中空部の開口に装着したキャップとパネル固定ネジの頭部との間に隙間を有することを特徴とする請求項２に記載の空気調和機のパネル固定構造。
【請求項４】
カラーの中空部において、中空部の開口に装着したキャップとパネル固定ネジの頭部との間の隙間に断熱材を挿入したことを特徴とする請求項３に記載の空気調和機のパネル固定構造。
【発明の詳細な説明】
【技術分野】
【０００１】
本発明は空気調和機のパネル固定構造に関する。
【背景技術】
【０００２】
従来、空気調和機には、例えば特許文献１に記載するものがある。これは、パネル同士を密接に接合する空気調和機である。断熱パネルは、外側面に配置する外側壁板および内側面に配置する内側壁板を有するとともに、外側壁板および内側壁板の周縁部を折り曲げて折込部を形成している。そして、連結具の締付け力を受ける連結用部材を外側壁板と内側壁板の間に配置し、連結用部材が連結具の締付け力を受けて折込部を他方の断熱パネルの内側壁板に向けて押圧する。
【０００３】
特許文献２には、アングル材の構造体である外装箱に外装パネルを取り付ける構造が開示されている。この外装パネルは、周囲内側へコ字に曲げた取付部と、取付部を固定するネジを通す穴と、穴に嵌込んだボタン状の部材を有している。
【０００４】
特許文献３には、パネルとパネルを結合する構造が開示されている。双方のパネルの内部には結合用のブレーカーが内蔵されており、双方のブレーカーをネジで結合している。このため、パネルには、その内壁面からブレーカに至る傾斜した通路が形成されており、この通路に専用工具を差し込んで、ネジを回して２枚のパネルを結合する。
【特許文献１】特開２０１０−１６４２１７
【特許文献２】実開平６−８４２１４
【特許文献３】特開平７−１５１４５３
【発明の開示】
【発明が解決しようとする課題】
【０００５】
特許文献１に記載するように、構造材を用いずにパネル同士を接合してケーシングを形成する場合には、ケーシングとしての強度を確保することが課題となる。この課題に対して特許文献２のように、パネルとは別途の構造体にパネルを固定する場合には、固定部における断熱性の確保が課題となる。特許文献２では、ネジが外装箱の内部に露出し、かつ外部に露出する取付部とネジとが接触している。したがって、アングル材の構造体とネジと取付部を通してパネルの内外に亘る熱伝導が生じる。
【０００６】
また、特許文献３のように、パネルの内部に配置するネジでパネルとパネルを結合する場合には、その構造が複雑となる課題が生じる。
【０００７】
本発明は上記した課題を解決するものであり、パネルとフレームの結合部における断熱性に優れた空気調和機のパネル固定構造を提供することを目的とする。
【課題を解決するための手段】
【０００８】
上記課題を解決するために、本発明の空気調和機のパネル固定構造は、空気調和機のケーシングを構成するフレームにケーシングの外壁をなすパネルを固定するものであって、外壁をなすパネルにネジ孔を形成し、ネジ孔に断熱性のカラーを挿入し、カラーを介してパネル固定ネジでパネルをフレームに固定したことを特徴とする。
【０００９】
本発明の空気調和機のパネル固定構造において、カラーは、パネル固定ネジの軸心方向の外側が中空部で、パネル固定ネジの軸心方向の内側が中実部をなし、中実部にパネル固定ネジの軸心方向に貫通孔を有し、中実部の端面が中空部と貫通孔の間に段差を形成し、中空部がネジ孔の開口縁に当接するフランジ部を有し、パネル固定ネジは、カラーの中空部を通して貫通孔に挿入し、先端がフレームの内部に留まり、頭部でカラーの段差に当接してカラーをフレームに押圧するとともに、フレームを相対的にカラーに引き付けて、カラーのフランジ部とフレームとの間にパネルを挟んで固定することを特徴とする。
【００１０】
本発明の空気調和機のパネル固定構造において、カラーの中空部において、中空部の開口に装着したキャップとパネル固定ネジの頭部との間に隙間を有することを特徴とする。
【００１１】
本発明の空気調和機のパネル固定構造において、カラーの中空部において、中空部の開口に装着したキャップとパネル固定ネジの頭部との間の隙間に断熱材を挿入したことを特徴とする。
【発明の効果】
【００１２】
以上のように本発明によれば、パネル固定ネジがケーシングの内部に露出せず、パネル固定ネジがカラーを介してパネルをフレームに締め付けるので、ケーシングの内外に亘る熱伝導がパネル固定ネジを介して生じることがない。
【図面の簡単な説明】
【００１３】
【図１】本発明の実施の形態における空気調和機を示す正面図
【図２】同空気調和機を示す側面図
【図３】同空気調和機を示す平面図
【図４】同空気調和機を示す分解斜視図
【図５】同空気調和機を示す分解斜視図
【図６】同空気調和機のドレンパンを示す正面図
【図７】同空気調和機のドレンパンを示す側図
【図８】同空気調和機の主部材およびコーナー連結部材を示す斜視図
【図９】同空気調和機の中間部材、ジョイント部材および異形ジョイント部材を示す斜視図
【図１０】同空気調和機のコーナー連結部材を示す斜視図
【図１１】同空気調和機のジョイント部材および異形ジョイント部材を示す斜視図
【図１２】同空気調和機の中間部材とジョイント部材および異形ジョイント部材の断面図
【図１３】同空気調和機の中間部材を１方向に配置した断面図
【図１４】同空気調和機の中間部材を２方向に配置した断面図
【図１５】同空気調和機の中間部材を３方向に配置した断面図
【図１６】同空気調和機の主部材と外壁パネルの固定構造を示す断面図
【図１７】同空気調和機の主部材と外壁パネルの固定構造を示す断面図
【図１８】同空気調和機の中間部材と外壁パネルの固定構造を示す断面図
【図１９】同空気調和機の中間部材と内部パネルの固定構造を示す断面図
【図２０】同空気調和機のファン室の構造を示す断面図
【図２１】同空気調和機のドレンパンの固定構造を示す断面図
【図２２】同空気調和機のドレンパンの構造を示す断面図
【図２３】同空気調和機のドレンパンの固定構造を示す断面図
【図２４】同空気調和機のフラット架台底板の固定構造を示す断面図
【図２５】同空気調和機の接続ブラケットの固定構造を示す斜視図
【図２６】同空気調和機のフィルターレールの固定構造を示す縦断面図
【図２７】同空気調和機のフィルターレールの固定構造を示す平断面図
【発明を実施するための最良の形態】
【００１４】
以下、本発明の実施の形態を図面に基づいて説明する。
（全体構造）
図１から図３に示すように、空気調和機のケーシング１は、側壁をなす複数の外壁パネル２と、天井部をなす複数の天板パネル３と、ケーシング１の内部の空間を複数の室に仕切る隔壁をなす内部パネル４をフレーム６に固定したものである。ケーシング１の各室の正面開口部にはそれぞれ扉パネル７を配置し、扉パネル７をフレーム６に開閉可能に取り付けている。
【００１５】
ケーシング１の内部は、外気ＯＡ、還気ＲＡが流入する外気室８と、温度、湿度を調整した空気調和後の給気ＳＡが流入する給気室９と、給気ＳＡを空気調和対象系に送気するファン室１０に分かれている。
【００１６】
ケーシング１は、外気室８に対応する天板パネル３に還気口１１を有し、ファン室１０に対応する天板パネル３に給気口１２を有し、還気口１１および給気口１２が空気調和対象系に連通している。ケーシング１の内部には還気口１１から給気口１２に至る給気通風路１３が形成されている。
【００１７】
外気室８と給気室９とを隔てる内部パネル４の下方には、外気室８の側にプレフィルター１４および中性能フィルター１５からなるフィルターユニット１６を装着している。さらに、給気室９の側に冷温水コイルからなる熱交換器１９および加湿器（気化式）２０を装着している。外気室８はフィルターユニット１６および熱交換器１９、加湿器２０を通して給気室９に連通している。ファン室１０には、プラグファンからなる給気ファン装置２１を設置している。
（空気調和機の運転）
外気室８へ流入する還気ＲＡは外気ＯＡを伴ってフィルターユニット１６および熱交換器１９を通して給気室９へ流入する。この際に、フィルターユニット１６がプレフィルター１４および中性能フィルター１５によって還気ＲＡおよび外気ＯＡに含まれた塵埃等を除去し、熱交換器１９が還気ＲＡおよび外気ＯＡを所定の湿度および温度の空気に調整し、加湿器２０で加湿する。
【００１８】
給気室９へ流入する空気は、給気ファン装置２１によって給気口１２から給気ＳＡとして空気調和対象系へ送り出される。
（フレーム構造）
図４から図７に示すように、ケーシング１は、給気室９に対応する架台１００の上にドレンパン１０１を配置し、外気室８に対応する架台１０２の上にフラット架台底板１０３を配置している。
【００１９】
フレーム６はドレンパン１０１およびフラット架台底板１０３の上に配置される。フレーム６は、ケーシング１の構造材をなす中空状の主部材６１０を各架台１００、１０２の四隅に柱状に立てた状態に配置するとともに、立てた主部材６１０の間に横木状に主部材６１０を寝かせて配置し、さらに平行な一対の主部材６１０の間に補助材をなす中間部材６２０を配置し、主部材６１０と主部材６１０を連結し、主部材６１０に中間部材６２０を固定し、あるいは中間部材６２０と中間部材６２０を連結している。この連結構造および固定構造は後述する。
【００２０】
そして、図２５に示すように、外気室８のフレーム６と給気室９のフレーム６を接続するために、接続ブラケット６１０ａを双方のフレーム６に取り付けるとともに、接続ブラケット６１０ａどうしを固定している。
【００２１】
さらに、外気室８にフィルターレール１６１およびフィルターカバー１６２を配置し、給気室９にコイルサポート１９１を配置し、外気室８と給気室９を隔てる内部パネル４および給気室９とファン室１０を隔てる内部パネル４を配置している。
（連結構造）
図８から図１１に示すように、主部材６１０および中間部材６２０は、断面形状において入隅角を有する凹状多角形をなすアルミ押し出し形材からなる。
【００２２】
主部材６１０は、フレーム６のフレーム外側面の一部をなす主部材外側面６１１を有し、主部材外側面６１１と主部材外側面６１１とが直角の出隅角をなす。また、フレーム６のフレーム内側面の一部をなす主部材内側面６１２を有し、主部材内側面６１２と主部材内側面６１２とが直角の入隅角をなす。主部材外側面６１１には主部材６１０の軸心方向に沿って主部材溝部６１３が形成されている。
【００２３】
中間部材６２０は、幅広の基部６２１と山部６２２からなる。基部６２１は、主部材６１０の主部材外側面６１１に連続してフレーム外側面の一部をなす中間部材外側面６２３と、主部材６１０の主部材内側面６１２に連続してフレーム内側面の一部をなす中間部材内側面６２４とを有する。山部６２２は基部６２１の中間部材内側面６２４の上に立ち上がり、天頂面に中間部材６２０の軸心方向に沿って山部溝部６２６が形成されている。
【００２４】
主部材６１０どうしを連結するコーナー連結部材６３０は、樹脂材からなり、中実状の連結本体部６３１と、主部材６１０に挿入される中空状の連結挿入部６３２を有する。
【００２５】
連結本体部６３１は、フレーム６のフレーム外側面の一部をなすコーナー外側面６３３が相互に直角をなす出隅角を形成し、フレーム６のフレーム内側面の一部をなすコーナー内側面６３４が相互に直角をなす入隅角を形成する。
【００２６】
連結挿入部６３２は、連結本体部６３１から相互に直角をなす３軸のそれぞれの軸方向に延びており、連結本体部６３１と連結挿入部６３２との境に主部材６１０の厚みに相当する段差６３５を有する。フレーム６は、コーナー連結部材６３０の連結挿入部６３２に主部材６１０を挿入した状態で、主部材６１０の主部材外側面６１１とコーナー部材６３０のコーナー外側面６３３とが平面状に連続してフレーム外側面を形成する。連結挿入部６３２には補強板６３６が挿入されている。
【００２７】
中間部材６２０を主部材６１０に接合するジョイント部材６４０は、樹脂材からなり、中間部材６２０の山部６２２に挿入される中空状のジョイント挿入部６４１と、主部材６１０の主部材内側面６１２に接合するジョイント頭部６４２を有し、ジョイント頭部６４２に窪みをなす嵌合凹部６４３を有する。ジョイント挿入部６４１には補強板６４４が挿入されている。
【００２８】
中間部材６２０と中間部材６２０を連結する異形ジョイント部材６５０は、樹脂材からなり、中間部材６２０の山部６２２に挿入される中空状の異形ジョイント挿入部６５１と、異形ジョイント頭部６５２を有しており、異形ジョイント頭部６５２がジョイント部材６４０のジョイント頭部６４２の嵌合凹部６４３に挿入される嵌合凸部６５３をなす。異形ジョイント挿入部６５１には補強板６５４が挿入されている。
【００２９】
図１２に示すように、ジョイント部材６４０のジョイント挿入部６４１および異形ジョイント部材６５０の異形ジョイント挿入部６５１は、ドリルネジからなる固定用ネジ６６０で中間部材６２０の山部６２２に固定されている。固定用ネジ６６０は山部６２２の天頂面の山部溝部６２６に配置されており、固定用ネジ６６０の頭部が山部６２２の天頂面よりも低く山部溝部６２６に没している。
【００３０】
図示を省略するが、同様にしてコーナー連結部材６３０の連結挿入部６３２が固定用ネジ６６０で主部材６１０に固定されている。固定用ネジ６６０は主部材６１０の主部材溝部６１３に配置されており、固定用ネジ６６０の頭部が主部材６１０の主部材外側面６１１よりも低く主部材溝部６１３に没している。よって、外壁パネル２は、固定用ネジ６６０に阻害されることなく、主部材６１０の主部材外側面６１１に密接できる。
【００３１】
図４に示すように、中間部材６２０には、フレーム天部もしくはフレーム底部において横木状の主部材６１０間に配置する第１の横中間部材６２０ａと、フレーム側部において横木状の主部材６１０間に配置する縦中間部材６２０ｂ、フレーム側部において柱状の主部材６１０間に配置する第２の横中間部材６２０ｃと、縦中間部材６２０ｂの間に配置する第３の横中間部材６２０ｄ、柱状の主部材６１０と縦中間部材６２０ｂの間に配置する第４の横中間部材６２０ｅ等がある。
【００３２】
図１３に示すように、縦中間部材６２０ｂを単独で使用して横木状の主部材６１０に接合する場合や、第１の横中間部材６２０ａを横木状の主部材６１０に接合する場合や、第２の横中間部材６２０ｃを柱状の主部材６１０に接合する場合には、縦中間部材６２０ｂや第１の横中間部材６２０ａや第２の横中間部材６２０ｃの両端にジョイント部材６４０のジョイント挿入部６４１を挿入して固定用ネジ６６０で固定し、ジョイント部材６４０のジョイント頭部６４２を嵌合凹部６４３に配置したドリルネジからなる接合用ネジ６６１で主部材６１０の主部材内側面６１２に固定する。
【００３３】
この状態で、中間部材内側面６２４と主部材６１０の主部材内側面６１２とが連続したフレーム内側面を形成する。
【００３４】
第３の横中間部材６２０ｄを縦中間部材６２０ｂに接合する場合も同様にして、第３の横中間部材６２０ｄの両端にジョイント部材６４０のジョイント挿入部６４１を挿入して固定用ネジ６６０で固定し、ジョイント部材６４０のジョイント頭部６４２を嵌合凹部６４３に配置した接合用ネジ６６１で縦中間部材６２０ｂの中間部材内側面６２４に固定する。
【００３５】
図１４に示すように、フレーム側部に配置する縦中間部材６２０ｂとフレーム天部に配置する第１の横中間部材６２０ａを連結して使用する場合には、第１の横中間部材６２０ａの両端にジョイント部材６４０ジョイント挿入部６４１を挿入して固定用ネジ６６０で固定し、ジョイント部材６４０のジョイント頭部６４２を嵌合凹部６４３に配置した接合用ネジ６６１で主部材６１０の主部材内側面６１２に固定する。
【００３６】
そして、縦中間部材６２０ｂの上端には異形ジョイント部材６５０の異形ジョイント挿入部６５１を挿入して固定用ネジ６６０で固定し、異形ジョイント頭部６５２の嵌合凸部６５３をジョイント頭部６４２の嵌合凹部６４３に嵌合させて縦中間部材６２０ｂと第１の横中間部材６２０ａを連結する。
【００３７】
さらに、縦中間部材６２０ｂの下端にはジョイント部材６４０のジョイント挿入部６４１を挿入して固定用ネジ６６０で固定し、ジョイント部材６４０のジョイント頭部６４２を嵌合凹部６４３に配置した接合用ネジ６６１で主部材６１０の主部材内側面６１２に固定する。
【００３８】
この状態で、第１の横中間部材６２０ａと縦中間部材６２０ｂの中間部材内側面６２４と主部材６１０の主部材内側面６１２が連続したフレーム内側面を形成する。
【００３９】
図１５に示すように、フレーム側部に配置する縦中間部材６２０ｂとフレーム天部およびフレーム底部に配置する第１の横中間部材６２０ａを連結して使用する場合には、第１の横中間部材６２０ａの両端にジョイント部材６４０ジョイント挿入部６４１を挿入して固定用ネジ６６０で固定し、ジョイント部材６４０のジョイント頭部６４２を嵌合凹部６４３に配置した接合用ネジ６６１で主部材６１０の主部材内側面６１２に固定する。
【００４０】
そして、縦中間部材６２０ｂの上下両端には異形ジョイント部材６５０の異形ジョイント挿入部６５１を挿入して固定用ネジ６６０で固定し、異形ジョイント頭部６５２の嵌合凸部６５３をジョイント頭部６４２の嵌合凹部６４３に嵌合させて縦中間部材６２０ｂと第１の横中間部材６２０ａを連結する。
【００４１】
柱状の主部材６１０と縦中間部材６２０ｂの間に第４の横中間部材６２０ｅを配置する場合には、第４の横中間部材６２０ｅの一端にジョイント部材６４０ジョイント挿入部６４１を挿入して固定用ネジ６６０で固定し、ジョイント部材６４０のジョイント頭部６４２を嵌合凹部６４３に配置した接合用ネジ６６１で主部材６１０の主部材内側面６１２に固定する。そして、第４の横中間部材６２０ｅの他端にはジョイント部材６４０のジョイント挿入部６４１を挿入して固定用ネジ６６０で固定し、ジョイント部材６４０のジョイント頭部６４２を嵌合凹部６４３に配置した接合用ネジ６６１で縦中間部材６２０ｂの中間部材内側面６２４に固定する。
【００４２】
この状態で、第１の横中間部材６２０ａと縦中間部材６２０ｂの中間部材内側面６２４が連続したフレーム内側面を形成する。
【００４３】
このように、コーナー連結部材６３０、ジョイント部材６４０、異形ジョイント部材６５０で、主部材６１０、中間部材６２０を連結することにより、連続した平面をなすフレーム外側面およびフレーム内側面を形成することができる。
（固定構造詳細）
図１６から図１８は、外壁パネル２の固定構造を示している。以下においては、外壁パネル２を例示して説明するが、天板パネル３においても同様である。また、外壁パネル２、天板パネル３、扉パネル７は、基本的に同じ断熱パネルの構造を有している。また、内部パネル４、フラット架台底板１０３は、外装が金属板の内皮板と外皮板だけからなり、内皮板と外皮板の間に発砲ウレタンを充填してなる。
【００４４】
すなわち、外側面に配置する金属薄板の外皮板９０１および内側面に配置する金属薄板の内皮板９０２と、パネル外周端面を形成する樹脂製の枠体９０３を有し、外皮板９０１および内皮板９０２の周縁部を折り曲げて枠体９０３に挿入し、枠体９０３に囲まれた外皮板９０１と内皮板９０２の間に断熱材９０４をなす発砲ウレタンを充填している。
【００４５】
外壁パネル２は、ドリルネジからなるパネル固定ネジ７０１でフレーム６の主部材６１０および中間部材６２０に固定している。外壁パネル２のパネル内側面は、フレーム６のフレーム外側面をなす主部材６１０の主部材外側面６１１および中間部材６２０の中間部材外側面６２３に密着している。
【００４６】
また、図１３から図１５に示すように、主部材６１０の主部材外側面６１１とコーナー部材６３０のコーナー外側面６３３とが平面状に連続してフレーム外側面を形成し、フレーム６の各フレーム外側面が四角形の枠状に連続する平面を形成するので、外壁パネル２および天板パネル３のパネル内側面は、コーナー部材６３０のコーナー外側面６３３にも密着している。よって、フレーム６の各フレーム外側面には、外壁パネル２および天板パネル３との密着を阻害する要因は存在しない。
【００４７】
パネル固定ネジ７０１は、外壁パネル２（天板パネル３）のネジ孔７０２に配置している。ネジ孔７０２は、外皮板９０１および断熱材９０４を貫通して内皮板９０２に達しており、内部に断熱材である樹脂製のカラー７０３が挿入されている。
【００４８】
カラー７０３は、パネル固定ネジ７０１の軸心方向の外側にある外皮板９０１の側が中空部７０３ａで、パネル固定ネジ７０１の軸心方向の内側にある内皮板９０２の側が中実部７０３ｂをなし、中実部７０３ｂにパネル固定ネジ７０１の軸心方向に貫通孔７０３ｃを有している。そして、中実部７０３ｂの端面が中空部７０３ａと貫通孔７０３ｃの間に段差７０３ｄを形成しており、中空部７０３ａは外皮板９０１の側の端部に、ネジ孔７０２の開口縁に当接するフランジ部７０３ｅを有し、開口にキャップ７０３ｆが装着されている。
【００４９】
パネル固定ネジ７０１は、中空部７０３ａを通して貫通孔７０３ｃに挿入し、さらに、内皮板９０２および主部材６１０、中間部材６２０にねじ込んでおり、先端が主部材６１０、中間部材６２０の内部に留まっている。パネル固定ネジ７０１は、頭部でカラー７０３の段差７０３ｄに当接してカラー７０３を主部材６１０、中間部材６２０に押圧するとともに、ネジ部の螺合によって主部材６１０または中間部材６２０を相対的にカラー７０３に引き付ける。
【００５０】
この状態で、パネル固定ネジ７０１は、カラー７０３のフランジ部７０３と主部材６１０、中間部材６２０の間に、外壁パネル２の外皮板９０１と断熱材９０４と内皮板９０２を同時に挟んで、外壁パネル２を主部材６１０または中間部材６２０に確実に固定する。
【００５１】
さらに、パネル固定ネジ７０１は、先端が主部材６１０、または中間部材６２０の内部の閉空間に留まり、頭部はキャップ７０３ｆが装着された中空部７０３ａの閉空間に留まり、かつ断熱材９０４およ外皮板９０１と接触しない。よって、ケーシング１の内部と外部との間においてパネル固定ネジ７０１を通して熱伝導が生じず、外壁パネル２のネジ孔７０２は熱的に絶縁されている。
【００５２】
また、カラー７０３の中空部７０３ａにおいて、中空部７０３ａの開口に装着したキャップ７０３ｆとパネル固定ネジ７０１の頭部７０１ａとの間に隙間７０４が存在し、中空部７０３ａの断熱性が向上する。さらに、隙間７０４に断熱材を挿入することで、断熱性が確実となる。
【００５３】
図１９に示すように、内部パネル４は、縦中間部材６２０ｂや第１の横中間部材６２０ａの中間部材内側面６２４に密着する。縦中間部材６２０ｂと第１の横中間部材６２０ａの中間部材内側面６２４は連続した平面のフレーム内側面を形成するので、フレーム６のフレーム内側面には、内部パネル４との密着を阻害する要因は存在しない。
【００５４】
図２０に示すように、ファン室１０では、第４の横中間部材６２０ｅの入隅角の中間部材内側面６２４を取付座面として直角に屈曲する防振サポート１１０を配置し、防振サポート１１０を固定ネジ１１０ａで第４の横中間部材６２０ｅに固定し、防振サポート１１０の上方にファン室１０の底面をなす下部閉鎖板１１１を配置し、防振サポート１１０と下部閉鎖板１１１との間にコイルスプリング１１２を配置するとともに、連結ボルト・ナット１１３で防振サポート１１０と下部閉鎖板１１１とを連結している。下部閉鎖板１１１の縁部には外壁パネル２の内面に当接するゴムキャンバス１１４を装着している。
【００５５】
図６および図２１から図２３に示すように、ドレンパン１０１は、周縁部１０１ａが樹脂材からなり、架台１００とフレーム６の主部材６１０との間を熱的に絶縁している。周縁部１０１ａを挟んで外皮板１０１ｂと内皮板１０１ｃを配置し、外皮板１０１ｂと内皮板１０１ｃに囲まれた内部空間に発砲ウレタンを充填してなる断熱材１０１ｄを有している。そして、側部にドレンパイプ１０１ｅを有し、底部がドレンパイプ１０１ｅに向けて下り勾配の傾斜面をなす。そして、ドレンパン１０１は、架台１００の側から挿入するドレンパン固定ネジ１０４で、架台１００と主部材６１０の間に周縁部１０１ａを挟んで固定している。ドレンパン固定ネジ１０４の先端は、主部材６１０の内部に留まり、ケーシング１の内部に露出しない。よって、ドレンパン１０１はケーシング１の内部と外部を熱的に絶縁している。
【００５６】
図２４に示すように、外気室８の架台１０２に配置するフラット架台底板１０３は、架台１０２の側から挿入する底板固定ネジ１０５で、架台１０２と主部材６１０の間に挟んで固定している。底板固定ネジ１０５の先端は、主部材６１０の内部に留まり、ケーシング１の内部に露出しない。よって、フラット架台底板１０３はケーシング１の内部と外部を熱的に絶縁している。
【００５７】
よって、架台１００、１０２の熱的な絶縁が不要となり、発砲ウレタンの吹き付け等の作業が不要となる。
【００５８】
図２６、図２７に示すように、給気室９の架台１００に固定した主部材６１０と外気室８の架台１０２に固定した主部材６１０は、主部材６１０に取り付けた接続ブラケット６１０ａどうしを接続ボルト６１０ｂで固定することで、両者を連結している。
【００５９】
外気室８の主部材６１０の主部材内側面６１２には、フィルター閉鎖板６７０が固定ビス６７１で固定されている。フィルター閉鎖板６７０は、フィルターユニット１６の外周と主部材内側面６１２との間の隙間を閉鎖するものであり、フィルター閉鎖板６７０にフィルターレール１６１およびレールサポート１６３が固定ボルト１６４で固定されている。フィルターレール１６１は、中性能フィルター１５を挿入する第１レーン１６５と、プレフィルター１４を挿入する第２レーン１６６を有している。
【００６０】
プレフィルター１４および中性能フィルター１５と扉パネル７の間に配置したフィルターカバー１６２が、プレフィルター１４および中性能フィルター１５の側部に密接している。
【００６１】
給気室９の主部材６１０の主部材内側面６１２にはコイル閉鎖板６７３が固定されている。コイル閉鎖板６７３は、熱交換器１９の外周と主部材内側面６１２との間の隙間を閉鎖するものである。
【符号の説明】
【００６２】
ＯＡ  外気
ＲＡ  還気
ＳＡ  給気
１    ケーシング
２    外壁パネル
３    天板パネル
４    内部パネル
６    フレーム
７    扉パネル
８    外気室
９    給気室
１０    ファン室
６１０    主部材
６１０ａ  接続ブラケット
６１１    主部材外側面
６１２    主部材内側面
６１３    主部材溝部
６２０    中間部材
６２０ａ  第１の横中間部材
６２０ｂ  縦中間部材
６２０ｃ  第２の横中間部材
６２０ｄ  第３の横中間部材
６２０ｅ  第４の横中間部材
６２１    基部
６２２    山部
６２３    中間部材外側面
６２４    中間部材内側面
６２５    基部溝部
６２６    山部溝部
６３０    コーナー連結部材
６３１    連結本体部
６３２    連結挿入部
６３３    コーナー外側面
６３４    コーナー内側面
６３５    段差
６３６    補強板
６４０    ジョイント部材
６４１    ジョイント挿入部
６４２    ジョイント頭部
６４３    嵌合凹部
６４４    補強板
６５０    異形ジョイント部材
６５１    異形ジョイント挿入部
６５２    異形ジョイント頭部
６５３    嵌合凸部
６５４    補強板
６６０    固定用ネジ
６６１    接合用ネジ
７０１    パネル固定ネジ
７０１ａ  頭部
７０２    ネジ孔
７０３    カラー
７０３ａ  中空部
７０３ｂ  中実部
７０３ｃ  貫通孔
７０３ｄ  断差
７０３ｅ  フランジ部
７０３ｆ  キャップ
７０４    隙間
【図１】
2018146148.tif 000003
【図２】
2018146148.tif 000004
【図３】
2018146148.tif 000005
【図４】
2018146148.tif 000006
【図５】
2018146148.tif 000007
【図６】
2018146148.tif 000008
【図７】
2018146148.tif 000009
【図８】
2018146148.tif 000010
【図９】
2018146148.tif 000011
【図１０】
2018146148.tif 000012
【図１１】
2018146148.tif 000013
【図１２】
2018146148.tif 000014
【図１３】
2018146148.tif 000015
【図１４】
2018146148.tif 000016
【図１５】
2018146148.tif 000017
【図１６】
2018146148.tif 000018
【図１７】
2018146148.tif 000019
【図１８】
2018146148.tif 000020
【図１９】
2018146148.tif 000021
【図２０】
2018146148.tif 000022
【図２１】
2018146148.tif 000023
【図２２】
2018146148.tif 000024
【図２３】
2018146148.tif 000025
【図２４】
2018146148.tif 000026
【図２５】
2018146148.tif 000027
【図２６】
2018146148.tif 000028
【図２７】
2018146148.tif 000029